(57)【要約】【課題】  特に優れた通気性により、足部や踵部を快適に保つと共に、靴本体内部のインナーブーツの表面におけるナノオーダーの塗布層により、除臭、除菌効果を達成できるスケートシューズを提供する。【解決手段】  本考案は、インライン或いはアイススケートシューズに用いられ、内面に軟質層（２１）を有する、プラスチック材を射出成形して成るカバー体（２０）が設けられると共に、底面に底板（２２）が設けられ、該底板（２２）の上面に底部パッド（２３）が敷設され、更に、軟質層（２１）の内面にインナーブーツ（３２）が設けられるスケートシューズであり、靴本体（１）の軟質層（２１）とインナーブーツ（３２）との間に複数の通気孔（３１）を有する内部パッド（３０）が設けられると共に、インナーブーツ（３２）の内部表面にナノオーダーの塗布層（３３）が設けられるものである。【選択図】  図１
0003107109.tif 000002
【実用新案登録請求の範囲】
【請求項１】
インラインスケートシューズ或いはアイススケートシューズに用いられ、内面に軟質層（２１）を有する、プラスチック材を射出成形して成るカバー体（２０）が設けられると共に、底面に底板（２２）が設けられ、該底板（２２）の上面に底部パッド（２３）が敷設され、更に、軟質層（２１）の内面にインナーブーツ（３２）が設けられるスケートシューズであって、
前記靴本体（１）の軟質層（２１）とインナーブーツ（３２）との間に複数の通気孔（３１）を有する内部パッド（３０）が設けられると共に、インナーブーツ（３２）の内部表面にナノオーダーの塗布層（３３）が設けられることを特徴とするスケートシューズ。
【請求項２】
前記底部パッド（２３）とインナーブーツ（３２）とは一体に成形されると共に、該底部パッド（２３）上にナノオーダーの塗布層（３３）が設けられることを特徴とする請求項１に記載のスケートシューズ。
【請求項３】
前記底部パッド（２３）とインナーブーツ（３２）とは分離型であると共に、該底部パッド（２３）上にナノオーダーの塗布層（３３）が設けられることを特徴とする請求項１に記載のスケートシューズ。
【考案の詳細な説明】
【技術分野】
【０００１】
本考案は、特に優れた通気性により、足部や踵部を快適に保つと共に、靴本体内部のインナーブーツの表面に設けられるナノオーダーの塗布層により、除臭、除菌効果を提供できるスケートシューズに関するものである。
【背景技術】
【０００２】
一般にインラインスケートシューズ或いはアイススケートシューズは、靴本体の底端に、中央にホイールが枢設されるフレームが設けられ、或いは底端にエッジを有するフレームが設けられる構造により、使用者は、靴本体を履き地面或いは氷上において滑走運動をすることができる。また、前記靴本体は、内面に軟質層を有する、プラスチック材を射出成形して成るカバー体が設けられると共に、内部底面に底板が設けられ、該底板の上面に底部パッドが敷設され、更に、軟質層の内面にインナーブーツが設けられる構造であり、それにより、スケートシューズを履いた時、足部が包み込まれ、足の裏が底部パッド上に載せられ、踵がパッドであるインナーブーツに接触するので、足部を保護することができる。
【考案の開示】
【考案が解決しようとする課題】
【０００３】
しかし、前記一般のインラインスケートシューズ或いはアイススケートシューズは、足部を保護することはできるが、インナーブーツのパッドが非常に薄いため、パッドと靴本体との間にスポンジを設けたとしても適当な柔軟性を得ることができない。更に、該スケートシューズは、通気性に優れないことから、スケートシューズを履いた時に、足が蒸れてしまうなどの問題を有するので、足部に健康上の悪影響を与える虞がある。
【課題を解決するための手段】
【０００４】
本考案は、インラインスケートシューズ或いはアイススケートシューズに用いられ、内面に軟質層（２１）を有する、プラスチック材を射出成形して成るカバー体（２０）が設けられると共に、底面に底板（２２）が設けられ、該底板（２２）の上面に底部パッド（２３）が敷設され、更に、軟質層（２１）の内面にインナーブーツ（３２）が設けられるスケートシューズであって、前記靴本体（１）の軟質層（２１）とインナーブーツ（３２）との間に複数の通気孔（３１）を有する内部パッド（３０）が設けられると共に、インナーブーツ（３２）の内部表面にナノオーダーの塗布層（３３）が設けられることを特徴とするスケートシューズ、を提供する。
【考案の効果】
【０００５】
本考案は、上記従来の課題を解決するものであり、インラインスケートシューズ或いはアイススケートシューズに用いられ、底端に、中央にホイールが枢設されるフレームが設けられ、或いは底端にエッジを有するフレームが設けられ、内面に軟質層を有する、プラスチック材を射出成形して成るカバー体が設けられると共に、底面に底板が設けられ、該底板の上面に底部パッドが敷設され、更に、軟質層の内面にインナーブーツが設けられるスケートシューズであり、該靴本体の軟質層とインナーブーツとの間に複数の通気孔を有する内部パッドが設けられることから、運動の際、該内部パッド中の通気孔の作用により、靴本体内の湿気が外部の新鮮な空気と入れ替わるので、スケートシューズを履いた時、足部に対して優れた通気作用を提供できる。更に、本考案では、インナーブーツの内部表面にナノオーダーの塗布層が設けられることから、優れた散熱効果を達成できるので、除臭、除菌効果により、スケートシューズを履いた時の足部の衛生状態を維持することができる。
【考案を実施するための最良の形態】
【０００６】
以下、添付図面を参照して本考案の好適な実施の形態を詳細に説明する。
【０００７】
図１は、本考案に係るスケートシューズの側面断面図であり、図２は、本考案に係るスケートシューズにおける内部パッドを示す底面図であり、図３は、本考案に係るスケートシューズにおける内部パッドの斜視図である。     
図１及び図２に示すように、本考案のスケートシューズ（１）は、インラインスケートシューズ或いはアイススケートシューズに用いられるものであり、その底端に、中央にホイール（１１）が枢設されるフレーム（１０）を設け、或いは底端にエッジを有するフレームが設ける構造とすることにより、使用者は、靴本体を履き地面或いは氷上において滑走運動をすることができる。     
前記靴本体（１）は、内面に軟質層（２１）を有する、プラスチック材を射出成形して成るカバー体（２０）が設けられると共に、底面に底板（２２）が設けられ、該底板（２２）の上面に底部パッド（２３）が敷設され、該軟質層（２１）の内面にパッドとしてインナーブーツ（３２）が設けられる。     
更に、図２及び図３に示すように、前記靴本体（１）の軟質層（２１）とインナーブーツ（３２）との間に複数の通気孔（３１）を有する内部パッド（３０）が設けられ、該内部パッド（３０）は、各種異なる硬度のスポンジを重合して成るので、適当な弾性力を有する。故に、運動の際、該内部パッド（３０）中の通気孔（３１）の作用により、靴本体（１）内の湿気が外部の新鮮な空気と入れ替わるので、スケートシューズを履いた時、足部に対して優れた通気、散熱作用を提供できる。     
また、本考案では、前記インナーブーツ（３２）の内部表面にナノオーダーの、遠赤外線素材や光触媒素材から成る塗布層（３３）が設けられることから、優れた散熱効果を達成できるので、除臭、除菌効果により、スケートシューズを履いた時の足部の衛生状態を維持することができる。     
前記インナーブーツ（３２）の内部表面に設けられるナノ技術を用いた塗布層（３３）は、プリント方式により設計パターンに基づいて、ナノオーダーの、遠赤外線素材や光触媒素材をインナーブーツ（３２）の内表面にプリントすることにより成り、該設計パターンについては、円形点を用いてその分布密度を約０．２cmの間隔とすることにより、最も満足できる効果を得ることができ、且つ低コスト化も図ることができる。なお、前記ナノオーダーの塗布層（３３）は、底部パッド（２３）とインナーブーツ（３２）とを一体に成形させる構成において、該底部パッド（２３）上に設けてもよく、或いは底部パッド（２３）とインナーブーツ（３２）とを分離型とする構成において、該底部パッド（２３）上に設けてもよい。       
前記ナノオーダーの、遠赤外線素材や光触媒素材を用いた靴本体（１）におけるインナーブーツ（３）の内表面は、ナノ技術により素材を微細化することにより、その表面積を最大にし、分子間を共振させることにより大きな分子エネルギーを発生させる。また、前記光触媒素材は、極めて強い酸化能力による除菌効果を有する二酸化チタン（Tio2）、酸化亜鉛からなり、ここでの除菌作用とは、該二酸化チタン（Tio2）、酸化亜鉛が光によって化学反応を起こして、ヒドロキシラジカルを発生させ、細菌、ウイルス、異臭を分解処理することにより、除菌、除臭を行うものである。故に、本考案では、優れた通気性により足部の汗を乾燥させることによって、細菌の発生率を低減すると共に、異臭を除去することができ、更には、足の裏のツボを刺激することにより血液循環を促進して、新陳代謝を活発にし、足部にかかる圧力を分散させることによって、痛みや疲労を緩和することができる。     
上述したように、本考案のスケートシューズには、次に示すような特徴がある。
【０００８】
１． 靴本体の軟質層とインナーブーツとの間に複数の通気孔を有する内部パッドが設けられることから、運動の際、該内部パッド中の通気孔の作用により、靴本体内の湿気が外部の新鮮な空気と入れ替わるので、スケートシューズを履いた時、足部に対して優れた通気、散熱作用を提供でき、足部を常に乾燥した状態に保つことができる。故に、足部においての細菌の発生を防ぐことができる。
【０００９】
２． インナーブーツの内部表面にナノオーダーの塗布層が設けられることから、優れた散熱効果を達成できるので、除臭、除菌効果により、スケートシューズを履いた時の足部の衛生状態を維持することができる。
【００１０】
３． ナノオーダーの塗布層は、底部パッドとインナーブーツとを一体に成形させる構成において、該底部パッド上に設けてもよく、或いは底部パッドとインナーブーツとを分離型とする構成において、該底部パッド上に設けてもよいことから、場合に応じた製造手段を選択できるので、利便性に優れている。
【産業上の利用可能性】
【００１１】
この考案は、特に優れた通気性により、足部や踵部を快適に保つと共に、靴本体内部のインナーブーツの表面におけるナノオーダーの塗布層により、除臭、除菌効果を達成できるスケートシューズに適している。  
【図面の簡単な説明】
【００１２】
【図１】本考案に係るスケートシューズの側面断面図である。
【図２】本考案に係るスケートシューズにおける内部パッドを示す底面図である。
【図３】本考案に係るスケートシューズにおける内部パッドの斜視図である。
【符号の説明】
【００１３】
１        靴本体
１０        フレーム
１１        ホイール
２０        カバー体
２１        軟質層
２２        底板
２３        底部パッド
３０        内部パッド
３１        通気孔
３２        インナーブーツ
３３        塗布層
【図１】
0003107109.tif 000003
【図２】
0003107109.tif 000004
【図３】
0003107109.tif 000005